(57)【要約】      （修正有）【課題】携帯端末を見映えがよく、アンテナエレメントの収納作業の容易なものにする。【解決手段】伸縮自在かつアンテナ基端部１１を中心に回動及び自転自在なアンテナエレメント１２を設け、このアンテナエレメント１２をカバー部材１３で覆う。第２の筐体５の側面に収納凹部２０を形成し、この収納凹部２０にアンテナ基端部１１を装着すると共に、縮小された状態のアンテナエレメント１２を覆うカバー部材１３を収納する。カバー部材１３を、アンテナエレメント１２を伸長させたときに長手方向中間部で分割可能に構成し、これら分割された合わせ面に、互いに嵌合可能な凹凸面１４ａ，１５ａを形成する。【選択図】図３
2009141433.tif 000002
【特許請求の範囲】
【請求項１】
伸縮自在かつアンテナ基端部を中心に回動及び自転自在なアンテナエレメントと、
縮小された状態の上記アンテナエレメントを覆うカバー部材と、
携帯端末本体の側面に形成され、上記アンテナ基端部が装着されると共に、上記カバー部材を収納する収納凹部とを備え、
上記カバー部材は、上記アンテナエレメントを伸長させたときに長手方向中間部で基端側と先端側とに分割可能に構成され、該先端側は基端側に対して回転可能で、かつ先端側合わせ面と基端側合わせ面とは、互いに嵌合可能な凹凸面を有している
ことを特徴とする携帯端末。
【請求項２】
請求項１に記載の携帯端末において、
上記カバー部材の基端側と先端側とには、凹凸面で嵌合させたときに同一直線上に並ぶように目印用の凹溝がそれぞれ形成されている
ことを特徴とする携帯端末。
【請求項３】
請求項２に記載の携帯端末において、
上記目印用の凹溝は、カバー部材を上記収納凹部に収納したときの裏面側に形成されている
ことを特徴とする携帯端末。
【請求項４】
請求項２又は３に記載の携帯端末において、
上記凹凸面は、滑らかな曲面状に形成されている
ことを特徴とする携帯端末。
【請求項５】
請求項１乃至４のいずれか１つに記載の携帯端末において、
上記カバー部材は、上記携帯端末本体と同じ材質よりなる
ことを特徴とする携帯端末。
【請求項６】
請求項５に記載の携帯端末において、
上記カバー部材には、上記携帯端末本体と同じ塗料が塗布されている
ことを特徴とする携帯端末。
【請求項７】
請求項１乃至６のいずれか１つに記載の携帯端末において、
上記カバー部材は、上記携帯端末本体の稜線に沿って収納されている
ことを特徴とする携帯端末。
【請求項８】
請求項１乃至７のいずれか１つに記載の携帯端末において、
上記カバー部材は、上記収納凹部の周縁と略面一となるように収納されている
ことを特徴とする携帯端末。
【請求項９】
請求項１乃至８のいずれか１つに記載の携帯端末において、
上記カバー部材及び携帯端末本体は、樹脂成形品よりなる
ことを特徴とする携帯端末。
【請求項１０】
携帯電話機である
ことを特徴とする請求項１乃至９のいずれか１つに記載の携帯端末。
【発明の詳細な説明】
【技術分野】
【０００１】
本発明は、伸縮自在かつアンテナ基端部を中心に回動及び自転自在なアンテナエレメントを備えた携帯端末に関するものである。
【背景技術】
【０００２】
従来より、携帯電話機などの通信可能な携帯端末に伸縮自在に装着される携帯端末用アンテナは知られている。この種の携帯端末のアンテナは、不使用時には、携帯しやすくするためと折れ曲がり損傷を防止するために縮めた状態で携帯端末本体の内部に収納される。また、アンテナを使用するときには、携帯端末本体から引き伸ばされようになっている。
【０００３】
例えば特許文献１では、ロッドアンテナを携帯端末本体から伸ばしたときに携帯端末本体近傍で外部に露出する位置に屈折部を形成している。この屈折部の軸にロッドアンテナを屈折させることにより、ロッドアンテナと人体との距離が離れ、電磁波による人体への悪影響を低減することができるようになっている。また、ロッドアンテナに外部衝撃が加わった場合は、屈折部を軸に屈折するので、ロッドアンテナの損傷を回避することができるようになっている。
【０００４】
また、特許文献２では、携帯電話機の給電部に接続されたねじ状のアンテナ取付部に螺合固定されるアンテナ取付金具と、このアンテナ取付金具に取付けられる先端部を折り曲げることができる接続金具と、この接続金具に折り曲げることができるように取付けられた伸縮可能なアンテナ本体とで携帯電話機用アンテナを構成している。このことで、高感度で電波を受信できる状態のままアンテナを小さく収納するようになっている。
【０００５】
上記従来の携帯端末用アンテナのアンテナエレメントは、通常、樹脂等で成形される携帯端末本体の材質とは異なる金属で構成されているので、引き伸ばしたときに携帯端末本体の色調と合わず、デザイン的に好ましくない等の理由で、アンテナエレメントをカバー部材で覆うことが考えられる。
【特許文献１】特開平１０−４１７２０号公報
【特許文献２】特開平１１−１７７３２５号公報
【発明の開示】
【発明が解決しようとする課題】
【０００６】
しかしながら、アンテナエレメントを回動させ、また、伸長させた後、カバー部材を携帯端末本体に収納する場合、アンテナエレメントが自転可能であるので、カバー部材を携帯端末本体に収容する場合の位置合わせが面倒であるという問題があった。
【０００７】
本発明は、かかる点に鑑みてなされたものであり、その目的とするところは、見映えがよく、アンテナエレメントの収納作業の容易な携帯端末を提供することにある。
【課題を解決するための手段】
【０００８】
上記の目的を達成するために、この発明では、長手方向中間部で分割可能なカバー部材の合わせ面に互いに嵌合可能な凹凸面を形成した。
【０００９】
具体的には、第１の発明では、
携帯端末は、
伸縮自在かつアンテナ基端部を中心に回動及び自転自在なアンテナエレメントと、
縮小された状態の上記アンテナエレメントを覆うカバー部材と、
携帯端末本体の側面に形成され、上記アンテナ基端部が装着されると共に、上記カバー部材を収納する収納凹部とを備え、
上記カバー部材は、上記アンテナエレメントを伸長させたときに長手方向中間部で基端側と先端側とに分割可能に構成され、該先端側は基端側に対して回転可能で、かつ先端側合わせ面と基端側合わせ面とは、互いに嵌合可能な凹凸面を有している。
【００１０】
上記の構成によると、アンテナエレメントを伸長させてカバー部材を分割させた後、元に戻すときに、分割された基端側に対し先端側が回転していても、両者が凹凸面で正確に嵌合されるので、携帯端末本体の収納凹部に収納したとき捩れた状態になることはない。また、アンテナを伸ばしたときにもアンテナエレメントの少なくとも一部がカバー部材で覆われているので、デザイン的に違和感が少なくなる。
【００１１】
第２の発明では、第１の発明において、
上記カバー部材の基端側と先端側とには、凹凸面で嵌合させたときに同一直線上に並ぶように目印用の凹溝がそれぞれ形成されている。
【００１２】
上記の構成によると、目印用の凹溝が直線上に並ぶようにカバー部材の基端側と先端側とを嵌合させることで、カバー部材の収納作業が容易に行われる。
【００１３】
第３の発明では、第２の発明において、
上記目印用の凹溝は、カバー部材を上記収納凹部に収納したときの裏面側に形成されている。
【００１４】
上記の構成によると、カバー部材を上記収納凹部に収納したときに目印用の凹溝が目立たないので、見映えがよい。
【００１５】
第４の発明では、第２又は第３の発明において、
上記凹凸面は、滑らかな曲面状に形成されている。
【００１６】
上記の構成によると、基端側と先端側の凹凸面を嵌合させるときに、凹凸面を接触させながら、目印用の凹溝が合うように先端側を回転させて嵌合が行われる。
【００１７】
第５の発明では、第１乃至第４のいずれか１つの発明において、
上記カバー部材は、上記携帯端末本体と同じ材質よりなるものとする。
【００１８】
上記の構成によると、アンテナを伸ばしたときにもアンテナエレメントの少なくとも一部が携帯端末本体と同じ材質のカバー部材で覆われているので、デザイン的に違和感がない。
【００１９】
第６の発明では、第５の発明において、
上記カバー部材には、上記携帯端末本体と同じ塗料が塗布されているものとする。
【００２０】
上記の構成によると、アンテナを伸ばしたときにもアンテナエレメントの少なくとも一部が携帯端末本体と見映えの等しいカバー部材で覆われているので、デザイン的に違和感がない。また、携帯端末本体に収納したときもカバー部材と収納凹部の周縁との境目が目立たず見映えがよい。
【００２１】
第７の発明では、第１乃至第６のいずれか１つの発明において、
上記カバー部材は、上記携帯端末本体の稜線に沿って収納されている。
【００２２】
上記の構成によると、カバー部材と収納凹部の周縁との境目が携帯端末本体の稜線に沿って配置されるので、カバー部材が携帯端末本体に見映えよく収納される。
【００２３】
第８の発明では、第１乃至第７のいずれか１つの発明において、
上記カバー部材は、上記収納凹部の周縁と略面一となるように収納されている。
【００２４】
上記の構成によると、カバー部材を収納凹部に収納したときに、カバー部材と収納凹部の周縁との境目が目立たず、デザイン的に違和感がない。
【００２５】
第９の発明では、第１乃至第８のいずれか１つの発明において、
上記カバー部材及び携帯端末本体は、樹脂成形品よりなるものとする。
【００２６】
上記の構成によると、成形が容易でかつ軽量である。
【００２７】
第１０の発明では、第１乃至第９のいずれか１つの発明において、
携帯端末は、携帯電話機とする。
【００２８】
上記の構成によると、本発明の携帯端末用アンテナを使用することにより、頻繁に持ち歩く携帯電話機の携帯性及び外観が向上されると共に、アンテナの伸縮作業が容易である。
【発明の効果】
【００２９】
以上説明したように、本発明によれば、カバー部材の分割された合わせ面に、互いに嵌合可能な凹凸面を設けたことにより、アンテナを携帯端末本体の収納凹部に収納するときに、捩れた状態になることはないので、その収納作業を容易に行うことができる。
【００３０】
上記第２の発明によれば、カバー部材の基端側と先端側とに目印用の凹溝を設け、凹凸面で嵌合させたときに同一直線上に並ぶようにしたことにより、さらにカバー部材の収納作業を容易に行うことができる。
【００３１】
上記第３の発明によれば、目印用の凹溝をカバー部材の裏面側に形成したことにより、収納時に目印用の凹溝が目立たないので、さらに見映えを向上させることができる。
【００３２】
上記第４の発明によれば、凹凸面を滑らかな曲面状に形成したことにより、凹凸面を接触させながら回転し、目印用凹溝を合わせるようにして凹凸面の位置合わせを極めて容易に行うことができる。
【００３３】
上記第５の発明によれば、カバー部材の材質と携帯端末本体の材質とを同じにしたことにより、アンテナを伸ばしたとき及び携帯端末本体に収納したときのいずれの場合もデザイン的に違和感がなく、携帯端末の見映えを向上させることができる。
【００３４】
上記第６の発明によれば、カバー部材に携帯端末本体と同じ塗料を塗布したことにより、アンテナを伸ばしたとき及び携帯端末本体に収納したときのいずれの場合もさらにデザイン的に違和感がなくなり、携帯端末の見映えを向上させることができる。
【００３５】
上記第７の発明によれば、カバー部材を携帯端末本体の稜線に沿って収納するようにしたことにより、カバー部材が目立ちにくくなり、携帯端末の見映えを向上させることができる。
【００３６】
上記第８の発明によれば、アンテナエレメントを覆うカバー部材を収納凹部に収納したときに、カバー部材と収納凹部の周縁とが略面一となるようにしたことにより、カバー部材がさらに目立ちにくくなり、携帯端末の見映えを格段に向上させることができる。
【００３７】
上記第９の発明によれば、カバー部材及び携帯端末本体を樹脂成形品で構成したことにより、成形が容易で軽量な携帯端末が得られる。
【００３８】
上記第１０の発明によれば、本発明のアンテナを使用するようにしたことにより、アンテナの伸縮作業が容易で携帯性に富み、外観のよい商品性の高い携帯電話機が得られる。
【発明を実施するための最良の形態】
【００３９】
以下、本発明の実施形態を図面に基づいて説明する。
【００４０】
図１乃至図３は本発明の実施形態の携帯端末としての折畳み式携帯電話機１を示し、この携帯電話機１は、液晶又は有機ＥＬディスプレイを備えた表示部２を有する第１の筐体３と、操作部４を有する携帯電話機本体としての第２の筐体５とがヒンジ部６を中心に折り畳み開閉自在に連結されている。
【００４１】
上記第２の筐体５の右側側面には、アンテナ１０が装備されている。図４及び図５に示すように、アンテナ１０は、金属部材よりなるアンテナ基端部１１と、このアンテナ基端部１１を中心に回動及び自転自在なアンテナエレメント１２とを備えている。アンテナエレメント１２は、受信感度をよくするために伸縮自在に構成されている。このアンテナエレメント１２は、縮小された状態でカバー部材１３で完全に覆われている。カバー部材１３は、アンテナエレメント１２を伸長させたときに長手方向中間部で基端側１４と先端側１５とに分割可能に構成されている。分割された状態で先端側１５は基端側１４に対して回転可能となっている。先端側合わせ面と基端側合わせ面とは、互いに嵌合可能な滑らかな曲面状の凹凸面１４ａ，１５ａを有している。また、基端側１４と先端側１５とには、凹凸面１４ａ，１５ａで嵌合させたときに同一直線上に並ぶように軸方向に伸びる目印用の凹溝１４ｂ，１５ｂがそれぞれ形成されている。
【００４２】
第２の筐体５は、表面側キャビネット５ａと、裏面側キャビネット５ｂとを有し、これら表面側キャビネット５ａと、裏面側キャビネット５ｂとは、例えば、ＡＢＳ樹脂よりなる。上記カバー部材１３は、表面側キャビネット５ａ及び裏面側キャビネット５ｂと同じ材質よりなる。樹脂成形品であれば、成形が容易でかつ軽量である。また、カバー部材１３には、第２の筐体５（表面側キャビネット５ａ及び裏面側キャビネット５ｂ）と同じ塗料が塗布されている。
【００４３】
図６に示すように、上記裏面側キャビネット５ｂには、アンテナ１０を収納する収納凹部２０が形成されている。この収納凹部２０は、第２の筐体５（裏面側キャビネット５ｂ）の稜線に沿って配置されている。収納凹部２０の上端側には、貫通孔２０ａが形成され、この貫通孔２０ａにアンテナ基端部１１が挿入されて装着されるようになっている。図７に示すように、収納凹部２０の断面は、図４（ａ）に示す先端側１５の断面とほぼ一致している。
【００４４】
図１及び図２に示すように、カバー部材１３は、第２の筐体５の稜線に沿って収納されている。上記目印用の凹溝１４ｂ，１５ｂは、カバー部材１３を上記収納凹部２０に収納したときの裏面側に形成されている。カバー部材１３は、収納凹部２０の周縁と略面一となるように収納されている。
【００４５】
−アンテナの使用方法−
次に、本実施形態にかかるアンテナ１０の使用方法について説明する。
【００４６】
アンテナ１０の使用時には、図４に示すように、カバー部材１３によってアンテナエレメント１２が完全に覆われた状態で、アンテナ基端部１１を中心に回動（傾動）させてアンテナ１０を使用してもよいし、図３及び図５に示すように、アンテナエレメント１２を伸長させてこのアンテナエレメント１２を一部露出させて使用してもよい。アンテナエレメント１２を伸長させるときには、カバー部材１３が基端側１４と先端側１５とに分割される。このとき、分割された基端側１４に対し先端側１５が回転可能である。アンテナ１０を伸ばしたときにもアンテナエレメント１２の少なくとも一部が第２の筐体５と同じ材質かつ同じ塗料が塗布されたカバー部材１３で覆われているので、デザイン的に違和感がない。
【００４７】
アンテナ１０を収納するときには、目印用の凹溝１４ｂ，１５ｂが直線上に並ぶように凹凸面１４ａ，１５ａを接触させながら、カバー部材１３の基端側１４と先端側１５とを嵌合させる。また、分割された基端側１４に対し先端側１５が回転していても、両者が凹凸面１４ａ，１５ａで正確に嵌合されるので、カバー部材１３の収納作業が容易に行われると共に、第２の筐体５の収納凹部２０に収納したとき捩れた状態になることはない。
【００４８】
まず、アンテナ１０の収納状態では、図１及び図２に示すように、カバー部材１３は、第２の筐体５の稜線に沿って収納されている。このため、カバー部材１３と収納凹部２０の周縁との境目が第２の筐体５の稜線に沿って配置されるので、カバー部材１３が第２の筐体５に見映えよく収納される。また、カバー部材１３を収納凹部２０に収納したときに目印用の凹溝１４ｂ，１５ｂは裏面側にあって目立たないので、見映えがよい。また、カバー部材１３は、収納凹部２０の周縁と略面一となるように収納され、さらに、カバー部材１３は、表面側キャビネット５ａ及び裏面側キャビネット５ｂと同じ材質よりなり、かつ同じ塗装が施されているのでるので、カバー部材１３と収納凹部２０の周縁との境目が目立たず見映えがよい。
【００４９】
−実施形態の効果−
したがって、本実施形態にかかる携帯電話機１によると、カバー部材１３の分割された合わせ面に、互いに嵌合可能な凹凸面１４ａ，１５ａを設けたことにより、アンテナ１０を第２の筐体５の収納凹部２０に収納するときに、捩れた状態になることはないので、その収納作業を容易に行うことができる。
【００５０】
また、カバー部材１３の基端側１４と先端側１５とに目印用の凹溝１４ｂ，１５ｂを設け、凹凸面１４ａ，１５ａで嵌合させたときに同一直線上に並ぶようにしたことにより、さらにカバー部材１３の収納作業を容易に行うことができる。
【００５１】
また、目印用の凹溝１４ｂ，１５ｂをカバー部材１３の裏面側に形成したことにより、収納時に目印用の凹溝１４ｂ，１５ｂが目立たないので、さらに見映えを向上させることができる。
【００５２】
また、凹凸面１４ａ，１５ａを滑らかな曲面状に形成したことにより、凹凸面１４ａ，１５ａを接触させながら回転し、目印用凹溝１４ｂ，１５ｂを合わせるようにして凹凸面１４ａ，１５ａの位置合わせを極めて容易に行うことができる。
【００５３】
また、カバー部材１３の材質と第２の筐体５の材質とを同じにしたことにより、アンテナ１０を伸ばしたとき及び第２の筐体５に収納したときのいずれの場合もデザイン的に違和感がなく、携帯電話機１の見映えを向上させることができる。
【００５４】
また、カバー部材１３に第２の筐体５と同じ塗料を塗布したことにより、アンテナ１０を伸ばしたとき及び第２の筐体５に収納したときのいずれの場合もさらにデザイン的に違和感がなくなり、携帯電話機１の見映えを向上させることができる。
【００５５】
また、カバー部材１３を第２の筐体５の稜線に沿って収納するようにしたことにより、カバー部材１３が目立ちにくくなり、携帯電話機１の見映えを向上させることができる。
【００５６】
また、アンテナエレメント１２を覆うカバー部材１３を収納凹部２０に収納したときに、カバー部材１３と収納凹部２０の周縁とが略面一となるようにしたことにより、カバー部材１３がさらに目立ちにくくなり、携帯電話機１の見映えを格段に向上させることができる。
【００５７】
また、カバー部材１３及び第２の筐体５を樹脂成形品で構成したことにより、成形が容易で軽量な携帯電話機１が得られる。
【００５８】
また、本発明のアンテナ１０を使用するようにしたことにより、アンテナ１０の伸縮作業が容易で携帯性に富み、外観のよい商品性の高い携帯電話機が得られる。
【００５９】
（その他の実施形態）
本発明は、上記実施形態について、以下のような構成としてもよい。
【００６０】
すなわち、上記実施形態では、携帯端末は、折畳み式携帯電話機１としたが、折畳み式のものでなく、表示部と操作部とが１つの筐体に設けられたものや、第１の筐体と第２の筐体とがスライド自在のものでもよい。
【００６１】
上記実施形態では、携帯端末は、携帯電話機としたが、ＰＨＳ、ＰＤＡ、ＰＣ、モバイルツール、電子辞書、電卓、複写機等であってもよい。
【００６２】
なお、以上の実施形態は、本質的に好ましい例示であって、本発明、その適用物や用途の範囲を制限することを意図するものではない。
【図面の簡単な説明】
【００６３】
【図１】本発明の実施形態にかかる携帯電話機の閉じた状態を示す斜視図である。
【図２】携帯電話機を開き、アンテナを収納した状態を示す斜視図である。
【図３】携帯電話機を開き、アンテナを伸長させた状態を示す斜視図である。
【図４】縮小させた状態のアンテナを示し、（ａ）が左側面図で、（ｂ）が正面図で、（ｃ）が右側面図で、（ｄ）が平面図である。
【図５】伸長させた状態のアンテナを示す正面図である。
【図６】裏側キャビネットの正面図である。
【図７】図６のVII−VII線拡大断面図である。
【符号の説明】
【００６４】
１      携帯電話機（携帯端末）
５      第２の筐体（携帯電話機本体）
１１      アンテナ基端部
１２      アンテナエレメント
１３      カバー部材
１４      基端側
１４ａ，１５ａ  凹凸面
１４ｂ，１５ｂ  凹溝
１５      先端側
２０      収納凹部
【図１】
2009141433.tif 000003
【図２】
2009141433.tif 000004
【図３】
2009141433.tif 000005
【図４】
2009141433.tif 000006
【図５】
2009141433.tif 000007
【図６】
2009141433.tif 000008
【図７】
2009141433.tif 000009